Podtech/llm-jp-corpus-v4-ja_patent huggingface dataset:
(57)【要約】      （修正有）【課題】突然の雨や日差しが強い日に、簡単に取り出して雨よけや日よけとして使うことが出来るフード付リュックを提供する。【解決手段】リュック本体１の上部にフード２を設ける。【選択図】図１
0003173642.tif 000002
【実用新案登録請求の範囲】
【請求項１】
リュックの一部に折り畳んで収納できるフードを設け、突然の雨の際簡単に取り出してかぶることが出来、雨具として使用する事が出来る。また、日差し強い日に簡単な日よけとしてかぶることもできるフード付リュック
【請求項２】
請求項１に記載のフード付リュックにおいて、フード本体をリュックと一体に固定して設けたフード付リュック
【請求項３】
請求項２に記載のフード付リュックにおいて、フード本体をリュックに着脱可能に設けたフード付リュック
【請求項４】
請求項１乃至３に記載のに記載のフード付リュックにおいて、フード収納部分は、ファスナー、ホック、ベルクロなどによって開閉可能なポケットを設けたフード付リュック
【請求項５】
請求項１乃至３に記載のフード付リュックにおいて、フードの表面及び又は内側に文字、模様又は図形が描かれているフード付リュック
【請求項６】
請求項１乃至３または５に記載のフード付リュックにおいて、フード部分は薄く、防水加工又は撥水加工された生地でつくられたフード付リュック
【請求項７】
請求項１乃至３または５に記載のフード付リュックにおいて、フード部分は調節紐で寸法の調節が可能なフード付リュック
【考案の詳細な説明】
【技術分野】
【０００１】本考案は、フードを設けたリュックに関するものである
【背景技術】
【０００２】リュックは従来リュックとしての用途以外はなかった。フードはフードとしてバックとは別に使用していた。この２つはそれぞれ別々に使用していた。
【考案の概要】
【考案が解決しようとする課題】
【０００３】リュックとフードは従来別々に保持していた。突然の雨や、日差しの強い日に傘や帽子を保持していないときは、我慢するか途中で購入するしかなかった。
リュックとフードを一体化することで、突然の雨の際、簡単に取り出してかぶることが出来、雨具として使用する事が出来る。また、日差し強い日に、簡単な日よけとしてかぶることもでき、従来のリュックとしての機能に付加価値を付けることが出来、傘や帽子を保持していない時にリュック本体から簡単にとりだして使用する事が可能となり前述の欠点を解決しようとするものである
【課題を解決するための手段】
【０００４】本考案はリュックの一部に、フードを折り畳んで収納することが出来るポケットを設け、使用しない時は折り畳んだ状態で収められ、雨や強い日差しの天候により使用する際には簡単にとりだして使用する事が出来る。リュックにフードという機能を付加することを可能にしたことにより問題を解決しようとしている。
【考案の効果】
【０００５】上述の様に本考案のフード付きリュックは、リュックとしての使用は勿論、フードとしての使用もできる。突然の雨や強い日差しの天候の時にすぐにとりだして使用する事ができ役立つ。
【図面の簡単な説明】
【０００６】
【図１】本考案のフード付リュックの正面の斜視図である
【図２】本考案のフード付リュックの背面の斜視図である
【図３】本考案のフード付リュックの使用態様を示す斜視図である
【考案を実施するための形態】
【０００７】リュック本体上部に、ファスナー、ホック、ベルクロ（登録商標）などによって開閉可能なポケットを設け、内部にはフードが設けられている。  フードを使用しない時はフードの生地は折り畳んだ状態で縮められ、使用する際には取り出して使用する。フード部分は寸法調節の紐が付けられていてフードの寸法を頭の寸法に合わせて調節が可能。
【実施例】
【０００８】以下、添付図面に従って一実施例を説明する。１はリュック本体、２はフード図２の４のフード収納ポケットにフードが折り畳んだ状態で収納されている【０００９】１のリュック本体と２のフードは一体型もしくはフード部分のみ脱着可能になっていて、使用していない時は、２のフード部分は６のファスナー、なおファスナーに限らずホックやベルクロ（登録商標）開閉が可能な４のフード収納ポケットに収められ、使用する際には簡単に取り出して使用することが出来る。３の寸法調節紐によりフードの寸法を調節する事が出来る。
【符号の説明】
【００１０】１  リュック本体
２  フード
３．寸法調節紐
４．フード収納ポケット
５．引き手
６．ファスナー
【図１】
0003173642.tif 000003
【図２】
0003173642.tif 000004
【図３】
0003173642.tif 000005
(57)【要約】【課題】スーツケース定位装置の構造を提供する。  【解決手段】  主にゴムバンド及び遮蔽シート、Ｃ字型フレキシブルクリップ、柱で構成する実用的なスーツケース定位装置である。ボックス本体内に遮蔽シートを設け、該遮蔽シート３０の両端にＣ字型フレキシブルクリップを設け、ボックス本体のゴムバンドの定位部品２１に柱を設ける。遮蔽シート３０により、ボックス本体内の衣服がこぼれるのを防止する。フレキシブルクリップ３１及び柱２５により、素早く遮蔽シートを定位し、及び素早く外すことができるため、便利に使用することができる。【選択図】  図２
0003173348.tif 000002
【実用新案登録請求の範囲】
【請求項１】
ゴムバンド及び遮蔽シート、Ｃ字型フレキシブルクリップ、柱を含み、
ボックス本体２０の四隅に定位部品２１を設け、該定位部品２１にゴムバンド２２を設置し、対応する両端のゴムバンド２２にそれぞれオスボタン２３、メスボタン２４を設け、
該オス、メスボタン２３、２４は互いに掛合することで、両端のゴムバンド２２を連結させて衣服を遮断するものであって、
ボックス本体２０の定位部品２１に柱２５を設け、ボックス本体２０の中片側に遮蔽シート３０を設け、該遮蔽シート３０にＣ字型のフレキシブルクリップ３１を設置し、該フレキシブルクリップ３１を定位部品２１の柱２５と嵌合することにより、遮蔽シート３０がゴムバンド２２の上を覆うことを特徴とするスーツケースの定位装置の構造。
【考案の詳細な説明】
【技術分野】
【０００１】
本考案はスーツケース定位装置の構造に関し、特にスーツケース内の衣服を定位に着けてスーツケースからこぼれず、且つ簡単に素早く定位し、及び衣服を取ることができるスーツケース定位装置の構造に関する。
【背景技術】
【０００２】
従来技術のスーツケースの衣服定位装置の構造は、およそ図１に示すように、ボックス本体１０内の四隅角に定位部品１１を設け、定位部品１１に四本のゴムバンド１２を組み合わせる。二本のゴムバンド１２にそれぞれオスボタン１３、メスボタン１４を設置し、オスメスボタン１３、１４を掛合し、或いは離すことができ、ゴムバンド１２によって、衣服を固定する。上記構造は下記の欠点が存在する。ゴムバンド１２は細長いものであり、ボックス本体１０は必然的にＨのような空き部分があり、衣服はそこからこぼれる。特に小物は必ずボックス本体が傾くときに落ちるため定位効果が悪く、更なる改善が必要であった。
【考案の概要】
【考案が解決しようとする課題】
【０００３】
本考案は前記従来技術の欠点を解決するため、本考案は衣服を定位するゴムバンドの上方に、蓋合する遮蔽シートを設置し、衣服がこぼれるのを防止するスーツケース定位装置の改良を提供することを主な課題とする。
【課題を解決するための手段】
【０００４】
前記課題を解決するために、本考案はスーツケース定位装置の構造を提供するものである。ボックス本体の中に開ける且つ蓋合できる遮蔽シートを設置し、衣服を定位するゴムバンドの上方を覆うことで、完全に衣服をブロックする効果に達し、確実に衣服がこぼれるのを防止する。且つ遮蔽シートの両端にフレキシブルクリップを設けてそれをボックス本体に掛合することで、定位しやすく開け易い遮断シートとなる。
【考案の効果】
【０００５】
本考案はゴムバンド及び遮蔽シート、Ｃ字型フレキシブルクリップ、柱を設置し、遮蔽シートの両端に設置するフレキシブルクリップにより、素早く遮蔽シートを定位し、及び素早く外すことができるため、便利に使用することができ、遮蔽シートにより、ボックス本体内の衣服がこぼれるのを防止する。
【図面の簡単な説明】
【０００６】
【図１】従来技術の立体図である。
【図２】本考案の掛合する前の立体図である。
【図３】本考案の掛合した後の立体図である。
【考案を実施するための形態】
【０００７】
図２及び図３に示すように、該ボックス本体２０の四隅に定位部品２１を設け、該定位部品２１にゴムバンド２２を設置し、対応する両端のゴムバンド２２にそれぞれオスボタン２３、メスボタン２４を設ける。該オス、メスボタン２３，２４は互いに掛合することで、両端のゴムバンド２２を連結させ、衣服を遮断する効果に達する。該特徴とは、ボックス本体２０の定位部品２１に柱２５を設け、ボックス本体２０内の片側に遮蔽シート３０を設け、該遮蔽シート３０にＣ字型のフレキシブルクリップ３１を設置し、該フレキシブルクリップ３１はちょうど定位部品２１の柱２５と嵌合することができるため、遮蔽シート３０はゴムバンド２２の上を覆う。
【０００８】
上記構造により、下記の効果とメリットを具有する。メリットは、遮蔽シート３０を蓋合する際、図３に示すように、遮蔽シート３０の二つのフレキシブルクリップ３１をゴムバンド２２の定位部品２１の柱２５に嵌合することで、遮蔽シート３０をゴムバンド２２の上を蓋合及び定位して覆うことで衣服がこぼれるのを確実に防止することができる。衣服を取りたい場合、Ｃ字型のフレキシブルクリップ３１は弾性力を具有するため、水平方向に引っ張ると柱２５から離すことができ、遮蔽シート３０をあけることができる。つまり、本考案のＣ字型フレキシブルクリップ３１により、素早く柱２５に嵌合することができ、素早く柱２５から外すことができるため、便利に使用することができる。
【符号の説明】
【０００９】
１０、２０    ボックス本体
１１、２１    定位部品
１２、２２    ゴムバンド
１３、２３    オスボタン
１４、２４    メスボタン
２５          柱
３０          遮蔽シート
３１          フレキシブルクリップ
Ｈ            空き部分
【図１】
0003173348.tif 000003
【図２】
0003173348.tif 000004
【図３】
0003173348.tif 000005
(57)【要約】      （修正有）【課題】繊維体の周囲を覆い体で覆った油吸着体の油の吸着量の改善を図った油吸着体を提供する。【解決手段】油吸着体１０は、ワックスでコーティングされた段ボールを繊維状に粉砕して形成された繊維体と、この繊維体の周囲を水に溶ける不織布で覆った覆い体１２とを備える。【選択図】図１
0003173363.tif 000002
【実用新案登録請求の範囲】
【請求項１】
ワックスでコーティングされた段ボールを繊維状に粉砕して形成された繊維体と、
この繊維体の周囲を水に溶ける不織布で覆った覆い体と
備えていることを特徴とする油吸着体。
【考案の詳細な説明】
【技術分野】
【０００１】
本考案は、油吸着体に係り、特に、繊維体の周囲を覆い体で覆った油吸着体の油の吸着量の改善を図った油吸着体に関する。
【背景技術】
【０００２】
本件出願人は、先に、ワックスでコーティングされた段ボールを繊維状に粉砕して形成された繊維体を通気性のある袋で覆った油吸着体を提案した（例えば、特許文献１参照）。
【先行技術文献】
【特許文献】
【０００３】
【特許文献１】特開２００９−１６５９１４号公報
【考案の概要】
【考案が解決しようとする課題】
【０００４】
しかしながら、上記油吸着体を実際に使用してみると、袋（覆い体）で覆わなかった油吸着体に比べ、油の吸着量が少ないという問題点が生じた。
本発明者は、鋭意努力を重ねた結果、上記油吸着体にあっては、油類の表面張力が小さいため、染み込む力が弱く、通気性のある袋の表面に接触した部分が油を吸着して膜を形成し、この膜が障壁となり、繊維体の中心部まで油が浸透しないことを見出し、本考案を完成するに至った。
【０００５】
本考案は、上記の問題点を考慮してなされた油吸着体を提供することを目的とする。
【課題を解決するための手段】
【０００６】
請求項１記載の油吸着体は、ワックスでコーティングされた段ボールを繊維状に粉砕して形成された繊維体と、この繊維体の周囲を水に溶ける不織布で覆った覆い体と備えているものである。
【考案の効果】
【０００７】
請求項１記載の油吸着体によれば、ワックスでコーティングされた段ボールを繊維状に粉砕して形成された繊維体と、この繊維体の周囲を水に溶ける不織布で覆った覆い体と備えているため、油と水が混在した面に油吸着体を投下すれば、覆い体は水に溶け、ワックスで形成された繊維状の繊維体は、水をはじき、油だけを吸着することができ、油の吸着量の改善を図ることができ、更に、棒等を使って攪拌すれば、油吸着体の繊維体が分離し、油吸着力を増大させることができる。加えて、従来の油吸着体にあっては、繊維体の中にはワックスでコーティングされた段ボールを繊維状に粉砕する際、生じた紙粉が含まれるため、繊維体を備えた油吸着体を使用する際、周囲に紙粉が飛散し、人体衛生上好ましくないが、請求項１記載の油吸着体によれば、ワックスでコーティングされた段ボールを繊維状に粉砕して形成された繊維体の周囲を不織布で覆った覆い体により紙粉の飛散をも防止することができる。
【図面の簡単な説明】
【０００８】
【図１】図１は、本考案の一実施例の油吸着体の概略的斜視図である。
【図２】図２は、図１の油吸着体に内在される繊維体の概略的斜視図である。
【図３】図３は、図１の油吸着体の使用例の概略的断面図である。
【考案を実施するための形態】
【０００９】
本考案の一実施例の油吸着体を図面を参照して説明する。
図１に示す１０は油吸着体で、油吸着体１０は、ワックスでコーティングされた段ボールを繊維状に粉砕して形成された繊維体１１（図２参照）と、この繊維体１１の周囲を水に溶ける不織布（水溶性不織布）で覆った覆い体１２と備えている。
【００１０】
繊維体１１は、例えば、繊維長さを約０．０３ｃｍ〜約５ｃｍ程度に繊維状に粉砕して形成されのもので、また、ワックスでコーティングされた段ボールにおけるワックスの量は、例えば、段ボール１００ｇに対してワックスが２０ｇ以上のものとなっている。
覆い体２は、市販されている水溶性不織布を使用することができ、例えば、日本バイリーン株式会社製  ＰＡ−３０４０Ｌ、Ａｒｔ  Ｆｉｂｅｒ  Ｅｎｄｏ製  商品名「水に溶ける生地（不織布タイプ）」等である。
なお、不織布の目付は、３０〜６０ｇ／ｍ2の不織布であることが好ましい。３０ｇ／ｍ2以下では、溶解させる前の取扱い中に、濡れた手で触ると溶解して孔があいたりすることがある。また、６０ｇ／ｍ2より高くなると溶解時間が長くなる。
【００１１】
上述した油吸着体１０を、例えば、図３に示す居酒屋、レストラン等の厨房に設置されてあるグリストラップ２０の油と水が混在した面２１に投下すれば、覆い体１２は水に溶け、ワックスで形成された繊維状の繊維体１１は、水をはじき、水面上に浮いた油を吸着することができ、油の吸着量の改善を図って、排水の水質の改善を図ることができる。
なお、棒等を使って攪拌すれば、油吸着体１０の繊維体１１が分離し、油吸着力を増大させることができる。
加えて、従来の油吸着体にあっては、繊維体の中にはワックスでコーティングされた段ボールを繊維状に粉砕する際、生じた紙粉が含まれるため、繊維体を備えた油吸着体を使用する際、周囲に紙粉が飛散し、人体衛生上好ましくないが、上述の油吸着体１０によれば、ワックスでコーティングされた段ボールを繊維状に粉砕して形成された繊維体１１の周囲を不織布で覆った覆い体１２により、紙粉の飛散をも防止することができる。
なお、油吸着体１０の用途としては、グリストラップの他に、グリストラップ以外の排水槽、こぼれた油の拭き取り用である。
【符号の説明】
【００１２】
１０    油吸着体
１１    繊維体
１２    覆い体
【図１】
0003173363.tif 000003
【図２】
0003173363.tif 000004
【図３】
0003173363.tif 000005
(57)【要約】      （修正有）【課題】和服を着ている女性が容易に用を足すことができる構造を有した女性用和装下着を提供する。【解決手段】中央部に下腹部から股下を通り臀部に達するスリット４を設けたズボン状外衣１と、臀部から体底部を通って下腹部に達する局部被覆布を面ファスナー又はボタンで下腹部に止めたパンツ状内衣とから女性用和装下着を形成する。なお、前述の外衣と内衣とは一対になっていることが必要である。また、外衣と内衣とは別々ではなく、着脱自在に一体化されてもよいし、完全に一体化されていてもよい。【選択図】図１
0003173324.tif 000002
【実用新案登録請求の範囲】
【請求項１】
中央部に下腹部から股下を通り臀部に達するスリットを設けたズボン状外衣と、臀部から体底部を通って下腹部に達する局部被覆布を面ファスナー又はボタンで下腹部に止めたパンツ状内衣とからなる女性用和装下着
【考案の詳細な説明】
【技術分野】
【０００１】
本考案は、女性が和服を着ている時でも容易に用をたすことができる女性用和装下着に関するものである。
【背景技術】
【０００２】
団体旅行等の際に女性用トイレに長蛇の列ができ用を足すのに手間取っている。特に女性が和服を着ている時は、下着が洋装になっているので、日常生活でも用を足すのに非常に不便である。このような女性が用を足す時の不便さを解消するため、これまで、実用新案登録第３１０８３３７号には、和服の下着については、スカート状の下着の右身頃及び左身頃も少なくとも一方にスリットを設けた女性用下着に開示されているが、必ずしも便利とは言えない。また、実開平５−５８０３号公報、及び、実開平６ー１６４０２号公報には、パンツの局部隠蔽底部をファスナーで取り付け、用便の際にファスナーを開けた時は局部隠蔽底部の先端を面ファスナーで背面に止めるパンツが開示されている。
【特許文献１】登録実用新案第３１０８３３７号                                              実開平５−５８０３                                                          実開平６−１６４０２
【考案の開示】
【考案が解決しようとする課題】
【０００３】
本考案が解決しようとする課題は、和服を着ている女性の用を足す時の不便さを解消することにある。しかしながら、登録実用新案第３１０８３３７号記載の女性用下着は必ずしも便利とは言えない。また、実開平５−５８０３号公報、及び、実開平６−１６４０２号公報記載のファスナー付きパンツは、用便時にはファスナーを開閉し、局部隠蔽底部の先端を面ファスナーで仮留めするという不便さがある。
【課題を解決するための手段】
【０００４】
本考案者は、前述の課題を解決するため、中央部に下腹部から股下を通り臀部に達するスリットを設けたズボン状外衣と、臀部から体底部を通って下腹部に達する局部被覆布を面ファスナー又はボタンで下腹部に止めたパンツ状内衣とからなる女性用和装下着を提供する。なお、前述の外衣と内衣とは一対になっていることが必要である。また、外衣と内衣とは別々ではなく、着脱自在に一体化されてもよいし、完全に一体化されていてもよい。
【考案の効果】
【０００５】
本考案に係わる女性用和装下着は、前述のような構造であるので、女性が用便のため便器に腰を下ろすと、外衣のスリットが自然に開き、その上で内衣の局部被覆布を外して、その先端部を背面の外衣との隙間に挟むだけで安心して用を足すことができる。外衣があるので、内衣の局部被覆布をファスナーで止める必要がなく、局部被覆布の先端部を背面の内衣と外衣の間に挟むので、用便中に局部被覆布の先端部を面ファスナーで止める必要もない。
【考案を実施するための最良の形態】
【０００６】
本考案を実施するための最良の形態を実施例１に示す。
【実施例１】
【０００７】
実施例１に係わる女性用和装下着において、図１に外衣の概要を示し、図２及び図３に面ファスナーを使用した内衣の概要を示し、図４及び図５にボタンを使用した内衣の概要を示す。図１において、１は外衣、２は腰部、３は脚部、４はスリット、５はほつれ留め、６はゴム紐部、７は縫い目、８は折り返しである。図２及び図３において、９は内衣、１０は腰部、１１は脚部孔、１２は局部被覆布、１３は接着布、１４はゴム紐部、１５は面ファスナーである。図４及び図５において、９、１０、１１、１２、１４は、図２及び図３と同様のものであり、１６はボタン、１７はボタン孔である。外衣１のスリット４は、腹部側のゴム紐部６の上端から１７．５センチ下を起点として下方に延びて、そこから更に２０．５センチ下の股下を通り、背面に廻り上方に延びて、背骨側のゴム紐部６の上端から１７．５センチ下の終点まで達する。なお、これらの寸法は体型によって適宜に変えることができる。また、面ファスナーを使用した内衣の接着布はラシャ地や綿布等の面ファスナーを接着できるものであればどのような布でもよい。
【０００８】
本実施例１に係わる女性用和装下着の外衣のスリット４は、前述のような形状であるので、便器に腰を下ろすと自然に開くようになっている。その上で、内衣９の接着布１３に面ファスナー１５で止めてある局部被覆布１２を外すか、内衣のボタン１６に留めてある局部被覆布１２を外して、その先端部を内衣９の背面と外衣１の間に挟むことにより、安心して用を足すことができる。
【産業上の利用可能性】
【０００９】
本考案に係わる女性用和装下着は前述のような構造と効果を有するので、女性が和服を着る機会が増加し、女性の生活を豊かにし、服飾界の発展に寄与するものである。
【図面の簡単な説明】
【００１０】
【図１】実施例１に係わる女性用下着の外衣の説明図である。
【図２】実施例１に係わる女性用下着の面ファスナーで留めた内衣の説明図である。
【図３】実施例１に係わる女性用下着の面ファスなーを外した内衣の説明図である。
【図４】実施例１に係わる女性用下着のボタンで留めた内衣の説明図である。
【図５】実施例１に係わる女性用下着のボタンを外した内衣の説明図である。
【符号の説明】
【００１１】
１  外衣
２  腰部
３  脚部
４  スリット
５  ほつれ留め
６  ゴム紐部
７  縫い目
８  折り返し
９  内衣
１０  腰部
１１  脚部孔
１２  局部被覆布
１３  接着布
１４  ゴム紐部
１５  面ファスナー
１６  ボタン
１７  ボタン孔
【図１】
0003173324.tif 000003
【図２】
0003173324.tif 000004
【図３】
0003173324.tif 000005
【図４】
0003173324.tif 000006
【図５】
0003173324.tif 000007
(57)【要約】      （修正有）【課題】ドラム巻き電線及び巻束電線を簡単に水平方向に送り出せるようにすることによって生産効率を高めることができる簡易包装電線用揺動機構を提供する。【解決手段】簡易包装電線用揺動機構は、ドラム回転盤と過揺動ホイール４との間に配置される。また上記の簡易包装電線用揺動機構は、ワッシャ、軸受、ねじ軸３、揺動ホイール４、ホイール支持板５及び回動板８を含む。ホイール支持板５は、回動板８に装着される。ホイール支持板５の上端には、ねじ軸３が装着される。揺動ホイール４上には、軸受が設けられる。軸受は、ねじ軸３に装着される。揺動ホイール４とホイール支持板５との間には、ワッシャが配置される。【選択図】図１
0003173821.tif 000002
【実用新案登録請求の範囲】
【請求項１】
ドラム回転盤と過揺動ホイールとの間に配置され、
ワッシャ、軸受、ねじ軸、揺動ホイール、ホイール支持板及び回動板を備え、
前記ホイール支持板は、回動板に装着され、前記ホイール支持板の上端には、前記ねじ軸が装着され、前記揺動ホイール上には、前記軸受が設けられ、前記軸受は、前記ねじ軸に装着され、前記揺動ホイールと前記ホイール支持板との間には、前記ワッシャが配置されることを特徴とする簡易包装電線用揺動機構。
【請求項２】
前記回動板の一方の側部には、入線制御フレームが装着されることを特徴とする請求項１に記載の簡易包装電線用揺動機構。
【請求項３】
前記入線制御フレームはＹ字形であることを特徴とする請求項２に記載の簡易包装電線用揺動機構。
【考案の詳細な説明】
【技術分野】
【０００１】
本考案は、電線ケーブルの加工設備に関し、特に、高速電線切断機に用いられる簡易包装電線用揺動機構に関する。
【背景技術】
【０００２】
高速電線切断機は、電圧線端子に用いられる線材を大量生産することができる。従来の高速電線切断機に使用される電線は、ドラム巻き電線と巻束電線とに分類される。また、電線に対応する電線送出装置も、ドラム巻き電線用送出装置と巻束電線用送出装置とに分類される。ドラム巻き電線及び巻束電線を同一の電線送出装置に使用できるようにするためには、電線を水平方向に送り出せるようにする必要があるが、従来の電線送出装置においては、電線詰まりが頻繁に発生するため、生産効率を高めることができなかった。
【考案の概要】
【考案が解決しようとする課題】
【０００３】
本考案の目的は、ドラム巻き電線及び巻束電線を簡単に水平方向に送り出せるようにすることによって生産効率を高めることができる簡易包装電線用揺動機構を提供することにある。
【課題を解決するための手段】
【０００４】
上述の課題を解決するために、本考案は、簡易包装電線用揺動機構を提供するものである。本考案の簡易包装電線用揺動機構は、ドラム回転盤と過揺動ホイールとの間に配置される。本考案の簡易包装電線用揺動機構は、ワッシャ、軸受、ねじ軸、揺動ホイール、ホイール支持板及び回動板を含む。ホイール支持板は、回動板に装着される。ホイール支持板の上端には、ねじ軸が装着される。揺動ホイール上には、軸受が設けられる。軸受は、ねじ軸に装着される。揺動ホイールとホイール支持板との間には、ワッシャが配置される。
【０００５】
回動板の一方の側部には、入線制御フレームが装着される。
【０００６】
入線制御フレームはＹ字形である。
【考案の効果】
【０００７】
本考案の簡易包装電線用揺動機構により、ドラム巻き電線及び巻束電線を一般の電線送出装置に使用することができる。また、ドラム巻き電線は、電線間が密接しているため、電線間の抵抗が過大となり、電線を送り出すことができなくなる状況が発生しやすいが、本考案の簡易包装電線用揺動機構の慣性力により、電線を送り出す前に、密接する電線を剥離することができる。また、電線詰まりが発生した場合、揺動ホイールにより、電線を早めに解くことができるため、生産ラインが中断することがなく、時間及び労力を節約することができる。
【図面の簡単な説明】
【０００８】
【図１】本考案の一実施形態による簡易包装電線用揺動機構を示す斜視図である。
【図２】本考案の一実施形態による簡易包装電線用揺動機構を示す側面図である。
【図３】図２の線ＡＡに沿った断面図である。
【考案を実施するための形態】
【０００９】
本考案の目的、特徴および効果を示す実施形態を図面に沿って詳細に説明する。
【００１０】
図１及び図２を参照する。図１及び図２に示すように、本考案の簡易包装電線用揺動機構は、ドラム回転盤と過揺動ホイールとの間に配置され、ワッシャ１、軸受２、ねじ軸３、揺動ホイール４、ホイール支持板５及び回動板８を含む。ホイール支持板５は、回動板８に装着される。ホイール支持板５の上端には、ねじ軸３が装着される。揺動ホイール４上には、軸受２が設けられる。軸受２は、ねじ軸３に装着される。揺動ホイール４とホイール支持板５との間には、ワッシャ１が配置される。
【００１１】
回動板８の一方の側部には、入線制御フレーム９が装着される。入線制御フレーム９はＹ字形である。線材は、Ｙ字形の入線制御フレーム９内を通過する。
【００１２】
本考案の簡易包装電線用揺動機構を使用する際、簡易包装電線用揺動機構をドラム回転盤と過揺動ホイールとの間に配置する。ドラムから送り出された電線は、本考案の簡易包装電線用揺動機構を通過した後、過揺動ホイールを通過する。本考案の簡易包装電線用揺動機構は、過揺動ホイールの側部を支点とするため、ドラムの方向に対して揺動する。従って、ドラムの直径及び電線量に基づき、揺動ホイールの位置が即時に自動調整される。即ち、ドラムの電線が送り出される位置に基づき、揺動角度を即時に調整しながら、電線を送り出すことができる。
【００１３】
上述の内容は、本考案の実施形態を示すものであり、本考案の実施範囲を限定するものではない。当業者は、本考案の主旨に基づき、適宜変更又は改正を行うことができ、それらは全て本考案の保護範囲に含まれる。
【符号の説明】
【００１４】
１  ワッシャ
２  軸受
３  ねじ軸
４  揺動ホイール
５  ホイール支持板
８  回動板
９  入線制御フレーム
【図１】
0003173821.tif 000003
【図２】
0003173821.tif 000004
【図３】
0003173821.tif 000005
(57)【要約】      （修正有）【課題】着脱が容易な枕カバーを提供する。【解決手段】方形のカバー地２の一つの辺の両端隅に、二つ折りした掛止め用の紐状結合部材６，７を設け、紐状結合部材６，７を設けた辺に接する他の二辺に沿い、紐状結合部材６，７を設けた位置から距離を置いた位置に、二つ折りした紐状結合部材６，７の一方を挿入する挿入孔１０，１１をそれぞれ設け、挿入孔に挿入した紐状結合部材を他方の紐状結合部材と結び合わせる。【選択図】図１
0003173844.tif 000002
【実用新案登録請求の範囲】
【請求項１】
方形のカバー地の一つの辺の両端縁に、二つ折りした掛止め用の紐状結合部材を設け、紐状結合部材を設けた辺に接する他の二辺に沿い、紐状結合部材を設けた位置から距離を置いた位置に、前記二つ折りした紐状結合部材の一方を挿入する挿入孔を設けたことを特徴とする枕カバー。
【請求項２】
方形のカバー地がタオル地であることを特徴とする請求項１に記載の枕カバー。
【請求項３】
紐状結合部材がリボンよりなることを特徴とする請求項１に記載の枕カバー。
【考案の詳細な説明】
【技術分野】
【０００１】
本考案は、着脱が容易で、常に清潔を保つことが出来る枕カバーに関する。
【背景技術】
【０００２】
従来、様々な観点から寝具用カバーが多数提案されている。寝具用カバーとしては、枕のほか、布団、マットレスに関しても、カバーを着脱自在とすることで、寝具を清潔に保つように工夫された種々のカバーが知られている。
枕カバーについて述べると、例えば、実用新案登録第３０５６８７５号には、枕の中芯を挿入する袋状部と、袋状部の一辺を延長した掛け止め可能な折り返し部を有する枕カバーが示されており、実開平６−６６４４５号には、バンド状のカバーの中に、圧力を調整できる空気袋と枕とを囲って設けた枕が記載されている。これらの寝具用カバーは、カバーが被覆される寝具に対する取り付け、及び取り外しを容易にする、或いは枕の高低，感触を自由に調整出来るようにするとの観点からなされたものであるが、そのために枕カバーに対する付加的構造が増え寝具を清潔に保つという目的から逸脱する事態も生じた。
【先行技術文献】
【特許文献】
【０００３】
【特許文献１】実用新案登録第３０５６８７５号公報
【特許文献２】実開平６−６６４４５号公報
【考案の概要】
【考案が解決しようとする課題】
【０００４】
本考案は、装着及び取り外しが容易である上、装飾性をも考慮した枕カバーに係る。従来、タオル地は吸湿性、接触感に優れている為、既製品のタオルを枕に巻いて枕カバーとして使用する者が多い。しかしながら、単に巻き付けたのみでは就寝中にカバーがずれたり、外れたりして使用感を損なうことがあった。本考案は、タオルとしての機能を考慮し、タオル地の利用を含めて、枕カバーに掛け止め部材を設けることにより、使用時のずれがなく、間単に取り外して洗濯をすることが可能な枕カバーを提供することにある。
【課題を解決するための手段】
【０００５】
本考案の枕カバーは、方形布地の一辺の両端隅に、掛止め用の紐状結合部材を二つ折りして中央部を縫着し、一方、紐状結合部材の結合部を設けた辺に接する二辺の端部に、紐状結合部材の結合部から距離を置いた位置に、二つ折りした紐状結合部材の一方を挿入する挿入孔をそれぞれ設けてなる枕カバーであり、方形布地としては、吸湿性を有する素材であれば使用可能であるが、タオル地を用いることが好ましい。
【考案の効果】
【０００６】
本考案のカバーは、装着、取外しが容易であるので、洗濯、乾燥が容易で常に清潔に保つことができる。しかも、方形布地としてタオル地を使用すれば、吸湿性が大きく、肌触りがよいばかりでなく、意匠的にも美観に優れたものを選択することができる。しかも、掛止め用の紐状結合部材として、美麗なリボンを用いて結ぶことにより、更に美しさを強調することが可能である。
【図面の簡単な説明】
【０００７】
【図１】本考案による枕カバーの平面図である。
【図２】図１に示したカバーを長方形の枕に装着する際の状態を示す斜視図である。
【図３】図１に示したカバーを長方形の枕に装着した状態を示す説明図である。
【考案を実施するための最良の形態】
【０００８】
本考案の実施の形態を、図面を参照しながら詳細に説明する。図１に示す如く、本考案枕カバー１に用いるカバー地２の平面形状は、ほぼ方形とし、角部が円弧状をなした太鼓形等一枚の布地で枕をカバーすることが可能な形状であればどのような形状でも良い。本考案においては、カバー地２に、吸湿性が極めて大きい素材を使用することが重要である。カバー地２としては、伸縮性糸によるトリコット地のような経編地、シングルジャージーのような伸縮性を有する編織地を用いることも考えられるが、タオル地を用いることが、肌触り及び美観等を考慮すると、最も好ましい素材である。カバー地２は、タオルをそのまま使用する場合は、縁部の処理は必要ないが、任意の編織地を用いる場合は、周縁部を適宜ほつれないように処理する必要がある。
【０００９】
本考案枕カバー１について、図面を用いて説明する。
図１に示す方形のカバー地２にはタオル地を使用した。上辺３の両端部４，５に、リボン等の紐状結合部材６，７を二つ折りにし、折られた部分を上記上辺３の両端部４，５において接着、縫着等により結合する。上記紐状結合部材６，７は共に、２つ折りした際、各部分の長さを変えても良く、それにより枕の上面に近い位置に紐状結合部材の結び目を位置させるようにすることも可能となる。カバー地２の上辺３の両端部４，５に連続する左右両辺８，９には、前記上辺３の両端部４，５から枕１２の上部を覆うことの可能な距離をおいて、カバー地２の左右両辺８，９に沿い、折られた紐状結合部材６，７の一片を挿入する挿入孔１０、１１をそれぞれ設ける。
【００１０】
本考案による枕カバー１の使用態様について説明する。
図２に示すように、枕１２の上に枕カバー１を載せ、カバー地２に設けられた挿入孔１０，１１に、紐状結合部材６，７の二つ折りした一片をそれぞれ通して他片の紐状結合部材６，７と結ぶ。このようにして、枕カバー１は、枕１２からずれ落ちることなく容易に装着される。方形のカバー地下辺１３は、枕１２の下方に巻き込み、全体を整える。上記紐状部材６，７としては、光沢のあるリボン等を使用し、例えば蝶結び状に結ぶことにより、美麗な図柄の施されたタオル地との使用と相まって、寝室の装飾効果をも有する。
【産業上の利用可能性】
【００１１】
本考案の枕カバーは、一枚の方形の布帛の一辺の両端に紐状結合部材の中央を固着し、固着された紐状結合部材の下方に伸びる布帛の両辺に紐状結合部材の挿入孔を設け、挿入孔に紐状結合部材を通して結ぶものである。従って、枕への装脱着が極めて簡単であり、常に枕及び枕カバーを清潔に保つことができ、病院、家庭等広く使用可能である。
【符号の説明】
【００１２】
１  枕カバー
２  カバー地
３  上辺
４，５  上辺両端部
６、７  紐状結合部材
８，９  左右辺
１０、１１  挿入孔
１２  枕
１３  カバー地下辺 
【図１】
0003173844.tif 000003
【図２】
0003173844.tif 000004
【図３】
0003173844.tif 000005
(57)【要約】      （修正有）【課題】トランスに極細電線を使用しない活性水素発生器を提供する。【解決手段】ソケット１とトランス１４を繋いだ回路において、ダイオード２を直列に設置し、コンデンサー４を並列に設置する。ソケットの先端１３から入った電流は、捲線の端５、別の捲線の端６、コンデンサーの端との接点９を順に通り、ソケットのもう一つの先端１２から外部に出る。残る２つの捲線の端７，８は、マイナス極１１、プラス極１０にそれぞれ連結する。【選択図】図１
0003173263.tif 000002
【実用新案登録請求の範囲】
【請求項１】
活性水素発生器の１つで、ソケット・トランスを繋いだ回路の中で、トランスの内の捲線の端と、回路の線との結び方を、捲線の４つの端をＡ、Ａ’、Ｂ、Ｂ’とし、ＡＡ’、ＢＢ’は２本の捲線の１本ずつの名称とし、初めに、捲線の端と回線を結んだ点をＡ点とし、次に結んだ点をＢ点又はＢ’とし、残りの２点は、器外に電流が出る２点に到る２つの線と結び、回路中又は外部に出る２つの線の何処にでも、ダイオードを直列に、ダイオードのプラス極、マイナス極は、考慮する事なく結合し、或は、ソケットの外側にソケット、２本の電線、プラグよりなる器外器を設置し、２本の電線の１カ所に、ダイオードのプラス、マイナスの向きを考慮する事なく、直列に結合し、何れの場所にでも直列に設置したダイオードに対して、並列にコンデンサーを設置して、之に電流を流して、プラス極より放電して、活性水素を発生する活性水素発生器に於いて、トランスの捲線の端を、回路の線に結ぶ方法に於て、捲線の端をA,A',B,B'とし、AA'、BB'は夫々同一の線の名前とすると、第１番に結んだ捲線の端をＡとすると、２番目に、回線と結ぶ点をA'ではなくＢ又はB'とし、残りの２つの点は、夫々プラス極、マイナス極に到る２本の線に繋ぎ、プラス極より、放電して、活性水素を発生さす活性水素発生器。
【考案の詳細な説明】
【技術分野】
【０００１】
この考案は健康を増進する器具に関する。
【背景技術】
【０００２】
【特許文献１】登録実用新案第３０８３９３８
【特許文献２】特開２００２−４２５４５号
【特許文献３】特願２００２−２８８５５０号
【特許文献４】登録実用新案第３１６８９１１号
【特許文献５】登録実用新案第３１７０３５１号
【考案の概要】
【考案が解決しようとする課題】
【０００３】
マイナスイオンは活性酸素とも言い猛毒で、体の中から何時も発生し、甲状腺ガン等のガンもガンが健康な細胞に、直接ガンを引き起こすのでなく、一旦ガンの因子が健康な細胞に活性酸素を発生させ、細胞を弱らせた後に、之をガン化させると言われている。この活性酸素を活性水素で中和し、無害の水として、活性酸素を除去する為に、登録実用新案第３１６８９７号、同第３１７０３５１号があるが、何れにも、高圧発生装置に、極細の電線を使用している為、湿気の多い処や電気抵抗の少ない物に接触すると壊れ易く、細くない電線を使用して、微少電流で、高圧にする方法が待たれる。
【０００４】
本考案は、活性水素発生の為に、トランスに極細電線を使わずに出来るかの策定の開発である。
【課題を解決するための手段】
【０００５】
ソケット、ダイオード、コンデンサーの片端、トランス、コンデンサーの他の端、元のソケットを接続し、トランスの捲線の端の繋ぎ方に於いて捲線の端をＡ、Ａ’、Ｂ、Ｂ’としＡ，Ｂは同じ端側にあり、Ａ，Ａ’は同一線とし、無作為に、回路の線との一つの接点をＡ．とした時、２番目の接点はＢ又はB’とし、残りの２点は、プラス極、マイナス極に到る線に繋いで、ソケットを通して交流電流を通したら、０．１Ｗ，１２０Ｖの電気が出来、この時のトランスの捲線は、２本共、直径０．６５ｍｍ、長さは１．５ｍと０．９ｍ。
【考案の効果】
【０００６】
以前の活性水素発生器は、プラス極を皮膚に当てると、数分で壊れていたが、今回の物には、こう言うことは起こらない。
【０００７】
以前の活性水素発生器は設置型簡易電話機が、昼夜の使用半月程で、ベルが鳴らなくなっていたが、今回の物は影響なし。
【０００８】
今回の活性水素発生器の気流の中にある時、活性酸素発生器と交替した時、数秒で息苦しくなり、活性水素の良さがわかる。
【０００９】
通電１分後に活性水素開放口３０ｃｍで呼吸をするのに、２〜３回の呼吸で大きな息を自然にし、肺の奥迄空気が届いている様に感ずる。
【００１０】
腎臓の新陳代謝が大きくなり、体がおだやかになる事がすぐに分かり、クレアニチンの基準値内の数値が容易に最良値になり、１５％低いクレアニチンが正常になり、醗酵アガリクス茸を食べると、この活性は高まる。
【００１１】
通じが良くなり、１日に数回も下痢する事なく通じがあるようになり、その時には吸引を控えればよい。
【００１２】
重度の不眠が改善される。
【００１３】
頭頂部の無毛部には、ショウガとオリーブオイルの混合物をすり込むと、１週間で、毛が生えるのがわかり、１ヵ月で房々する。
【００１４】
活性水素の気流中で、大きな呼吸をしたとき、片方の肺に異常を感じた場合、簡単に治る。
【００１５】
喘息によい。
【００１６】
手相の生命線に副生命線のある人は、数ヵ月で、之が伸びる。
【００１７】
過電流が流れても、ダイオードだけが壊れる。
【考案を実施するための形態】
【００１８】
図面を参照しながら説明する。図1は上から見た活性水素発生器の回路図で、１はソケット、２はダイオード、３はコンデンサーの片端、４はコンデンサー、１４はトランス、１０はプラス極、１１はマイナス極。１の１３より入った電流は、２のダイオードを通り、３のコンデンサーの端の接点を通り、トランスの捲線の端の５を通り、自分の捲線でない、相手の捲線の端６を通り、コンデンサーの端との接点９を通り、ソケット１の１２から外部に出る。１４のトランスの捲線の端の残りの２箇所８，７は、プラス極、マイナス極に到る線に、連結し、プラス極から放電して、活性水素を発生し、プラス極とマイナス極間の電圧は１２０Ｖ。
【図面の簡単な説明】
【００１９】
【図１】活性水素発生器の回路図である。
【図２】器外器の回路図である。
【符号の説明】
【００２０】
１  ソケット
２  ダイオード
３  コンデンサーの１方の端
４  コンデンサー
５  トランスの捲線の端の１つ
６          〃
７          〃
８          〃
９  コンデンサーの端の一つ
１０  プラス極
１１  マイナス極
１２  ソケットの１つの先端
１３          〃
１４  トランス
１５  トランスの捲線
１６  プラグ
【図１】
0003173263.tif 000003
【図２】
0003173263.tif 000004
(57)【要約】      （修正有）【課題】地紋の観賞性を向上させた金属箔粉付貴石・宝石を提供する。【解決手段】透明性のある琥珀、翡翠、水晶などの貴石・宝石に、観賞する面以外の面に金属箔粉を貼る。【選択図】図１
0003173261.tif 000002
【実用新案登録請求の範囲】
【請求項１】
観賞に供される透明性のある琥珀、翡翠、水晶などの貴石・宝石に、観賞する面以外の面に金属箔粉を貼ることで琥珀、翡翠、水晶などが持つ内包物などにより形成される独特の地紋をより鮮明にして地紋の観賞性の向上を図ることを特徴とする金属箔粉付貴石・宝石。
【考案の詳細な説明】
【技術分野】
【０００１】本考案は、貴石・宝石の地紋鑑賞性向上のための構造に関する。
【背景技術】
【０００２】貴石・宝石で透明性のある石の場合は観賞する面から見た場合、観賞する面以外からも光の進入があるため貴石・宝石の持つ独特の地紋は不明瞭になり観賞性が低かった。
【考案の開示】
【考案が解決しようとする課題】
【０００３】前記貴石・宝石の持つ光の透過性のため独特の地紋を鑑賞するには不具合が有った。
【課題を解決するための手段】
【０００４】本考案の構造は、貴石・宝石の観賞する面以外の面に金属箔粉を貼付することで観賞する面以外の面からの光の進入を遮断し、観賞する面から見た場合の地紋を明瞭にすることを特徴とする。
【考案の効果】
【０００５】本考案は以上のような構造であって、貴石・宝石１００の観賞する面以外に金属箔粉１０１を貼付することにより観賞する面以外の面からの光の進入を遮断してかつ貼付していない面からの光の反射率を向上することで地紋１０２を装身具として鑑賞に供することが出来る。
【実施例】
【０００６】本考案の実施例を図面に従って説明すると図１の本考案の構造を示すように琥珀、翡翠、水晶などの貴石・宝石１００と金属箔粉１０１の対で構成され、接着剤で結合された貴石・宝石１００と金属箔粉１０１は一体になり金属箔粉貼付貴石・宝石１０３として観賞する面以外の面からの光の進入を遮断し、観賞する面から進入した光を金属箔粉で反射することで琥珀、翡翠、水晶などの内包物により形成される独特の地紋を明瞭にして装身具に応用される。【０００７】図２は従来技術による光の進入の状態を示す、観賞する面を含め、多方向からの光の進入のために観賞する面からみた地紋は不明瞭である。【０００８】図５は図１に示した本考案による貴石・宝石の観賞する面以外の面に金属箔粉を貼付したところであり琥珀、翡翠、水晶などの貴石・宝石１００の一部が金属箔粉１０１で接着固定され金属箔粉貼付貴石・宝石１０３となっている。
【図面の簡単な説明】
【０００９】
【図１】本考案による貴石・宝石１００と金属箔粉１０１の光の遮断状態１０４と光の反射状態１０５を示す図で、上面が観賞する面で下面が光の進入を遮断するために金属箔粉１０１を貼付した状態の図。
【図２】従来技術による金属箔粉１０１を貼付しない場合の貴石・宝石１００の多方面からの光の進入状態１０６のため観賞する面からみた地紋が不明瞭の状態を示す図。
【図３】本考案による観賞する面の裏面に金属箔粉を貼った金属箔粉貼付貴石・宝石１０３により地紋１０２が観賞する面からみて明確になった状態を示す図。
【図４】従来技術による観賞する面を含む多方面からの光の進入により地紋１０２が観賞する面から見て不鮮明になった状態示す図。
【図５】本考案による貴石・宝石１００と金属箔粉１０１が接着固定された金属箔粉貼付貴石・宝石１０３示す図。
【符号の説明】
【００１０】１００  貴石・宝石
１０１  金属箔粉
１０２  地紋
１０３  金属箔粉貼付貴石・宝石
１０４  光の遮断状態を示す
１０５  光の反射状態を示す
１０６  光の進入状態を示す
【図１】
0003173261.tif 000003
【図２】
0003173261.tif 000004
【図３】
0003173261.tif 000005
【図４】
0003173261.tif 000006
【図５】
0003173261.tif 000007
(57)【要約】      （修正有）【課題】薄く小さくなった石鹸を水で付着させ一体化することで、最後まで使いきることが可能となる固形石鹸を提供する。【解決手段】固形石鹸１の底面２の外縁５ｍｍ４位より中心部５へ向って緩やかなスロープの凹面３を設ける。【選択図】図１
0003173247.tif 000002
【実用新案登録請求の範囲】
【請求項１】
固形石鹸の構造において
（イ）固形石鹸（１）の底面（２）部分に凹部（３）を設けた、固形石鹸
（ロ）底面（２）の外縁５ｍｍ（４）位より中心部（５）へ向けて緩やかにスロープした凹部（３）を設けた、固形石鹸
【考案の詳細な説明】
【考案の詳細な説明】
【技術分野】
【０００１】  この考案は、固形石鹸の底面外縁５ｍｍ位より中心部へ向けて緩やかなスローブの凹部を設けたもので、その凹部へ使い残りの薄くなった石鹸を、水で付着させ一体化することで、無駄なく完全に使い切れるように考案された省資源型固形石鹸の形状に関するものである。
【背景技術】
【０００２】  従来の、固形石鹸の形状は、表面は凸状で底面は緩やかな凸状又は、平らな形状が多い。
【考案が解決しようとする課題】
【０００３】これらには、次のような欠点があった。
（イ）固形石鹸での使い残りの石鹸は、薄く小さくなるため使いづらく石鹸箱の片隅か、洗面台の隅に放置されていた。
（ロ）放置されていた石鹸は、数個溜まるとメッシュ状の袋に入れて使用することもあるが、ほとんどは完全に使用されることなく捨てられていた。
【課題を解決するための手段】
【０００４】  固形石鹸本体（１）の、底面（２）部分へ底面外縁５ｍｍ（４）位から中心部（５）へ向けて緩やかなスローブの凹部（３）を設ける。凹部（３）は使い残りの薄く小さくなった石鹸を破棄せず、水で付着させ一体化して使用するスペースである。
本考案は、以上のような構成によりなる、固形石鹸の底面へ凹面を設けたものである。
【考案を実施するための形態】
【０００５】以下、本考案の実施の形態について説明する。
（イ）図１のように、固形石鹸（１）の底面（２）の外縁５ｍｍ（４）位より中心部（５）へ向って緩やかなスローブの凹部（３）を設ける
（ロ）凹部（３）は、使い残りの薄く小さくなった石鹸を、水で付着させ一体化するスペースである。
本考案は、以上のような構造で、薄く小さく、使いづらくなって、破棄寸前の使い残りの石鹸を、底面へ設けられた凹部（３）へ水で付着させ一体化することで最後まで使い切れるように考案されたものである。
【実施例】
【０００６】以下本考案の実施例について説明する。
図１のように、固形石鹸（１）の底面（２）へ外縁５ｍｍ（４）位より中心部（５）へ向って緩やかなスローブの凹部（３）を設ける。
【考案の効果】
【０００７】  使い残りの薄く小さく使いづらくなった石鹸が、水だけで新しい石鹸の底面凹部へ付着し一体化されるため、捨てることなく最後まで使いきれるように考案された、省資源を考慮したものである
【図面の簡単な説明】
【図１】  本考案の低面斜視図である
【図２】  本考案の断面図である。
【符号の説明】（１）固形石鹸
（２）石鹸の底面
（３）凹部
（４）底面外縁５ｍｍ
（５）底面中心部
【図１】
0003173247.tif 000003
【図２】
0003173247.tif 000004
【手続補正書】
【提出日】平成23年11月1日(2011.11.1)
【手続補正１】
【補正対象書類名】実用新案登録請求の範囲
【補正対象項目名】全文
【補正方法】変更
【補正の内容】
【実用新案登録請求の範囲】
【請求項１】
（イ）固形石鹸（１）の底面（２）部分に凹部（３）を設けた、又は、（ロ）底面（２）の外縁５ｍｍ（４）位より中心部（５）へ向けて緩やかにスロープした凹部（３）を設けた固形石鹸
(57)【要約】      （修正有）【課題】ダムを建設せずに、河川流や潮流を利用して発電することが出来る水門式発電機を提供する。【解決手段】発電機４に変速機を介し連結する水車２を支える軸受け３と発電機４を上下させて水流の流量を調節して発電装置を駆動し発電する。リフト５により上下する軸受けで支えられた水車を、水量に応じて上下させ、豪雨の場合は水車を引きあげる。河川で水量が変化しても、水車を上下させる事で回転力を維持でき、豪雨の場合は引揚げることで氾濫を避けられる。また、川上から川下にかけて多段階に設置した発電機を電力線でつなげば、少ない水量でも所要の電力を得られる。また橋の下に設置できるので交通の便宜も図れる。【選択図】図１
0003173245.tif 000002
【実用新案登録請求の範囲】
【請求項１】
水量に応じて水車を上下させる発電機
【考案の詳細な説明】
【考案の詳細な説明】
【産業上の利用分野】
【００１】  ダムを建設せずに河川の水力を利用できる
【背景技術】
【００２】  従来の水力発電は、水量を一定に保つためにダムを作った。そのため上流の農村や古代遺跡を埋没させてきた。
【考案が解決しようとする課題】
【００３】  水力を安定電源として利用するにはダムの建設は避けられないが、太陽光や風力のように不安定電源として利用、起こした電力を貯蔵する技術の開発を推進すればよい。しかし、河川の水力利用では、集中豪雨の場合に発電機でせき止められて洪水にならぬようにしなければならない。
【課題を解決するための手段】
【００４】  上下する軸受けで支えられた水車を水量に応じて上下させ、豪雨の場合は水車を引ききあげる。
【作用】
【００５】  河川で水量が変化しても、水車を上下させる事で回転力を維持でき、豪雨の場合は引揚げることで氾濫を避けられる。
【考案の効果】
【００６】  膨大な投資と環境破壊につながるダムの建設を避けられる。川上から川下にかけて多段階に設置した発電機を電力線でつなげば、少ない水量でも所要の電力を得られる。また橋の下に設置できるので交通の便宜も図れる。
【図面の簡単な説明】
【図１】本考案の概念図である。
【符合の説明】
１は水門
２は水車
３は軸受け
４は発電機
５はリフト
【図１】
0003173245.tif 000003
【手続補正書】
【提出日】平成23年11月2日(2011.11.2)
【手続補正２】
【補正対象書類名】実用新案登録請求の範囲
【補正対象項目名】全文
【補正方法】変更
【補正の内容】
【実用新案登録請求の範囲】
【請求項１】
発電機に変速機を介し連結する水車を支える軸受けと発電機を上下させて水流の流量を調節する発電装置。